(57)【要約】【課題】蓄電池の充放電回数を減少させることを目的とする。【解決手段】電力管理装置は、電力消費装置から、要求電力量を含む利用予約情報を受信する通信部と、利用予約情報に基づいて、商用電源および蓄電池のうちの少なくとも一方の利用予約を行い、利用予約の状況に基づいて、電力制御装置が蓄電池の充電および放電の何れを優先的に行うかを決定するための蓄電池の残量に対する基準値を決定する制御部とを備える。【選択図】図１
2018007466.tif 000002
【特許請求の範囲】
【請求項１】
太陽光発電装置から受電し商用電源に対する売電および買電の制御と蓄電池に対する充電および放電の制御とを行う電力制御装置と、前記電力制御装置から受電した電力を消費する電力消費装置とに通信可能な電力管理装置であって、
前記電力消費装置から、要求電力量を含む利用予約情報を受信する通信部と、
前記利用予約情報に基づいて、前記商用電源および前記蓄電池のうちの少なくとも一方の利用予約を行い、前記利用予約の状況に基づいて、前記電力制御装置が前記蓄電池の充電および放電の何れを優先的に行うかを決定するための前記蓄電池の残量に対する基準値を決定する制御部と、
を備えることを特徴とする電力管理装置。
【請求項２】
前記制御部は、前記電力消費装置が利用可能な許容電力量に基づいて、前記基準値を決定する
ことを特徴とする請求項１記載の電力管理装置。
【請求項３】
前記制御部は、前記蓄電池から利用予約した電力量に基づいて、前記基準値を決定する
ことを特徴とする請求項１記載の電力管理装置。
【請求項４】
前記通信部は、前記電力消費装置の消費電力量を示す情報を電力計から取得し、
前記制御部は、前記消費電力量に基づいて前記基準値を更新する
ことを特徴とする請求項２に記載の電力管理装置。
【請求項５】
前記通信部は、前記電力消費装置の消費電力量を示す情報を電力計から取得し、
前記制御部は、前記消費電力量から前記商用電源の利用予約電力量を減算した値に基づいて、前記基準値を更新する
ことを特徴とする請求項３に記載の電力管理装置。
【請求項６】
前記通信部は、前記電力消費装置の消費電力量と前記蓄電池の充放電電力量とを示す情報を電力計から取得し、
前記制御部は、前記消費電力量から前記商用電源の利用予約電力量を減算した値と前記蓄電池の充放電電力量とに基づいて、前記蓄電池から利用予約可能な電力量を示す値を更新する
ことを特徴とする請求項１乃至５のうち何れか１項に記載の電力管理装置。
【請求項７】
前記利用予約情報は、前記商用電源が停電となった場合の前記電力消費装置の動作を示す情報を含み、
前記制御部は、前記商用電源が停電となった場合に、前記情報に基づいて前記電力消費装置の動作を判定し、
前記通信部は、前記判定された動作が停止である場合、前記電力消費装置に停止指示を送信する
ことを特徴とする請求項１乃至６のうち何れか１項に記載の電力管理装置。
【請求項８】
太陽光発電装置から受電し商用電源に対する売電および買電の制御と蓄電池に対する充電および放電の制御とを行う電力制御装置と、
前記電力制御装置と前記電力制御装置から受電した電力を消費する電力消費装置とに通信可能な電力管理装置とを備え、
前記電力管理装置は、
前記電力消費装置から、要求電力量を含む利用予約情報を受信する通信部と、
前記利用予約情報に基づいて、前記商用電源および前記蓄電池のうちの少なくとも一方の利用予約を行い、前記利用予約の状況に基づいて、前記電力制御装置が前記蓄電池の充電および放電の何れを優先的に行うかを決定するための前記蓄電池の残量に対する基準値を決定する制御部とを含む
ことを特徴とする電力管理システム。
【請求項９】
前記電力制御装置は、
前記蓄電池の残量が第１閾値を下回ると、前記商用電源からの買電制御と、前記蓄電池の充電制御との少なくとも一方の制御を優先的に行い、前記蓄電池の残量が前記第１閾値より大きい第２閾値を上回ると、前記商用電源の売電制御と、前記蓄電池の放電制御との少なくとも一方の制御を優先的に行い、前記電力管理装置から取得した前記基準値に基づいて前記第２閾値を更新する制御部を含む、
ことを特徴とする請求項８記載の電力管理システム。
【請求項１０】
太陽光発電装置から受電し商用電源に対する売電および買電の制御と蓄電池に対する充電および放電の制御とを行う電力制御装置と、前記電力制御装置から受電した電力を消費する電力消費装置とに通信可能な電力管理装置に用いられる電力管理方法であって、
前記電力消費装置から、要求電力量を含む利用予約情報を受信し、
前記利用予約情報に基づいて、前記商用電源および前記蓄電池のうちの少なくとも一方の利用予約を行い、前記利用予約の状況に基づいて、前記電力制御装置が前記蓄電池の充電および放電の何れを優先的に行うかを決定するための前記蓄電池の残量に対する基準値を決定する、
処理をコンピュータが実行することを特徴とする電力管理方法。
【発明の詳細な説明】
【技術分野】
【０００１】
本発明は、電力管理装置、電力管理システムおよび電力管理方法に関する。
【背景技術】
【０００２】
近年、家庭または企業が、太陽光発電装置を設置し、太陽光発電で得た電力のうち余剰分を売電することが行われている。また、家庭または企業が、太陽光発電装置とともに蓄電池を設置し、例えば、昼間に発電した電力の余剰分を蓄電池に蓄え、夜間や停電時にその蓄電池の電力を利用することにより、商用電源からの受電電力のピークカットが行われている。
【０００３】
関連する技術として、太陽電池と蓄電池を含む電力システムにおいて、太陽電池の発電量と需要電力量を予測し、充放電の計画を立てることにより商用電源からの電力のピークカットを行う技術が提案されている（例えば、特許文献１を参照）。また、蓄電池の容量の最大ピーク値を予測し、蓄電池を制御することで逆潮の低減と、外部給電系統電力のピークカットを行う技術が提案されている（例えば、特許文献２を参照）。
【先行技術文献】
【特許文献】
【０００４】
【特許文献１】特開第２００９−２８４５８６号公報
【特許文献２】特開第２０１２−１２０４１９号公報
【発明の概要】
【発明が解決しようとする課題】
【０００５】
蓄電池の電力量に基づいて充放電を行う場合、例えば、蓄電池の電力量が所定の基準値以上の状態において、売電または電力消費装置への供給が行われる。その状態で、電力需要が増加した場合に、放電が増加することにより早期に蓄電池の残量が基準値以下となり、再充電が必要となる場合がある。そして、このような充放電の切り替え回数が多いほど、蓄電池の寿命が短くなるという問題がある。
【０００６】
１つの側面として、本発明は、蓄電池の充放電回数を減少させることを目的とする。
【課題を解決するための手段】
【０００７】
１つの態様では、電力管理装置は、太陽光発電装置から受電し商用電源に対する売電および買電の制御と蓄電池に対する充電および放電の制御とを行う電力制御装置と、前記電力制御装置から受電した電力を消費する電力消費装置とに通信可能な電力管理装置であって、前記電力消費装置から、要求電力量を含む利用予約情報を受信する通信部と、前記利用予約情報に基づいて、前記商用電源および前記蓄電池のうちの少なくとも一方の利用予約を行い、前記利用予約の状況に基づいて、前記電力制御装置が前記蓄電池の充電および放電の何れを優先的に行うかを決定するための前記蓄電池の残量に対する基準値を決定する制御部と、を備える。
【発明の効果】
【０００８】
１つの側面によれば、蓄電池の充放電回数を減少させることができる。
【図面の簡単な説明】
【０００９】
【図１】実施形態のシステムの全体構成の一例を示す図である。
【図２】電力制御装置による電力制御を示す状態遷移図である。
【図３】実施形態１のシステムの動作概要の一例を示す図である。
【図４】実施形態１の電力管理装置の電力利用要求受信時の処理（初回受信時）の流れの一例を示すフローチャートである。
【図５】電力予約値テーブルの一例を示す図である。
【図６】電力利用要求メッセージの一例を示す図である。
【図７】電力利用応答メッセージの一例を示す図である。
【図８】利用電力チケットリストの一例を示す図である。
【図９】実施形態１の電力管理装置の電力利用要求受信時の処理（継続受信時）の流れの一例を示すフローチャート（その１）である。
【図１０】実施形態１の電力管理装置の電力利用要求受信時の処理（継続受信時）の流れの一例を示すフローチャート（その２）である。
【図１１】電力消費装置が電力利用応答メッセージを受信した場合の処理の一例を示すフローチャートである。
【図１２】電力消費装置による電力利用継続要求処理の一例を示すフローチャートである。
【図１３】電力消費装置の電力利用終了時の処理を示すフローチャートである。
【図１４】実施形態１の電力管理装置が電力消費装置から電力利用終了通知を受信した時の処理の一例を示すフローチャートである。
【図１５】実施形態１の電力管理装置および電力制御装置が周期的に行う処理を示すフローチャート（その１）である。
【図１６】実施形態１の電力管理装置および電力制御装置が周期的に行う処理を示すフローチャート（その２）である。
【図１７】電力制御装置、電力消費装置、および電力管理装置の停電時および停電復旧時の処理を示すフローチャートである。
【図１８】停電保証（蓄電池の利用予約電力量）のない電力消費を含む電力消費の例を示す。
【図１９】実施形態２のシステムの動作概要を示す図である。
【図２０】実施形態２の電力管理装置の電力利用要求受信時の処理（初回受信時）の流れの一例を示すフローチャートである。
【図２１】実施形態２の電力管理装置の電力利用要求受信時の処理（継続受信時）の流れの一例を示すフローチャート（その１）である。
【図２２】実施形態２の電力管理装置の電力利用要求受信時の処理（継続受信時）の流れの一例を示すフローチャート（その２）である。
【図２３】実施形態２の電力管理装置が電力消費装置から電力利用終了通知を受信した時の処理の一例を示すフローチャートである。
【図２４】実施形態２の電力管理装置および電力制御装置が周期的に行う処理を示すフローチャート（その１）である。
【図２５】実施形態２の電力管理装置および電力制御装置が周期的に行う処理を示すフローチャート（その２）である。
【図２６】電力管理装置および電力制御装置のハードウェア構成の一例を示す図である。
【発明を実施するための形態】
【００１０】
＜実施形態１＞
以下、図面を参照して、実施形態１について説明する。図１は、実施形態の電力管理システムの全体構成の一例を示す。電力管理システムは、電力制御装置１と、電力消費装置２と、電力管理装置３と、商用電源４と、太陽光発電装置５と、蓄電池６とを含む。図１に示す例では、電力消費装置２は一つであるが、電力管理システムは、複数の電力消費装置２（電力消費装置２１、２２…）を含んでいてもよい。以下、複数の電力消費装置２１、２２…を区別せずに説明する場合に電力消費装置２と記載する場合がある。
【００１１】
電力制御装置１は、パワーコンディショナ１０と、制御部１１と、記憶部１２と、通信部１３と、入出力処理部１４と、時計管理部１５と、電力計１６と、電力計１７と、電力計１８と、電力計１９と、含む。
【００１２】
制御部１１は、太陽光発電装置５から受電し、商用電源４に対する売電および買電の制御と、蓄電池６に対する充電および放電（以下、充放電と記載することがある）の制御とを行う。制御部１１は、例えば、蓄電池６の残量が第１閾値（蓄電基準値#1）を下回ると、商用電源４からの買電制御と、蓄電池６の充電制御との少なくとも一方の制御を優先的に行う。制御部１１は、例えば、蓄電池６の残量が第１閾値より大きい第２閾値（蓄電基準値#2）を上回ると、商用電源４の売電制御と、蓄電池６の放電制御との少なくとも一方の制御を優先的に行う。制御部１１は、電力管理装置３から取得した基準値（蓄電基準値#2）に基づいて第２閾値を更新する。
【００１３】
制御部１１は、制御内容をパワーコンディショナ１０に指示することにより上記制御を実現する。または、パワーコンディショナ１０が制御部１１を含んでいてもよい。
【００１４】
記憶部１２は、電力計１６〜１９から取得した電力を示す情報、電力消費装置２、電力管理装置３から取得した情報など、電力制御に必要な各種情報を記憶する。通信部１３は、電力消費装置２および電力管理装置３と情報の送受信を行う。入出力処理部１４は、各種情報の入出力制御を行う。時計管理部１５は、時間の管理を行う。
【００１５】
電力計１６は、電力消費装置２の消費電力を計測する。電力消費装置２が複数ある場合は、電力計１６は、複数の電力消費装置２の総消費電力を計測する。電力計１７は、商用電源４に対する売電電力および買電電力を計測する。電力計１８は、蓄電池６に対する充電電力および放電電力を計測する。電力計１９は、太陽光発電装置５から受電する電力を計測する。
【００１６】
電力消費装置２は、制御部２１と、記憶部２２と、通信部２３と、入出力処理部２４と、時計管理部２５と、電力計２６と、電力負荷制御部２７と、表示部２８と、を含む。
【００１７】
制御部２１は、電力消費装置２の動作に関する各種制御を行う。制御部２１は、例えば、電力計２６から取得した消費電力、電力管理装置３から取得した電力利用応答メッセージ、利用者からの操作内容等に基づいて、電力管理装置３に送信する電力利用要求メッセージおよび電力利用終了通知メッセージを編集する。
【００１８】
記憶部２２は、電力消費装置２の動作に関する各種情報を記憶する。記憶部２２は、例えば、電力計２６から取得した消費電力、電力管理装置３から取得した電力利用応答メッセージが示す内容、利用者からの操作内容等を記憶する。通信部２３は、電力制御装置１および電力管理装置３と情報の送受信を行う。入出力処理部２４は、各種情報の入出力制御を行う。時計管理部２５は、時間の管理を行う。電力計２６は、電力消費装置２における消費電力を計測する。電力負荷制御部２７は、電力を消費する負荷を制御する。表示部２８は、停電時の動作など、電力消費装置２の動作に関する情報を表示する。
【００１９】
電力管理装置３は、制御部３１と、記憶部３２と、通信部３３と、入出力処理部３４と、時計管理部３５とを含む。
【００２０】
制御部３１は、電力消費装置２から送られた利用予約情報（例えば、電力利用要求メッセージに示される情報）に基づいて、商用電源４および蓄電池６のうちの少なくとも一方の利用予約を行う。制御部３１は、利用予約の状況に基づいて、電力制御装置１が蓄電池６の充電および放電の何れを優先的に行うかを決定するための蓄電池６の残量に対する基準値を決定（算出）する。
【００２１】
記憶部３２は、電力管理に関する各種情報を記憶する。記憶部３２は、例えば、電力消費装置２の利用予約の状況を示す利用電力チケットリストを記憶する。通信部３３は、電力制御装置１および電力消費装置２と情報の送受信を行う。すなわち、電力管理装置３は、通信部３３を有することにより、電力制御装置１および電力消費装置２と通信可能である。入出力処理部３４は、各種情報の入出力制御を行う。時計管理部３５は、時間の管理を行う。
【００２２】
図２は、電力制御装置による電力制御を示す状態遷移図である。各状態をX-Y-Zと表したときのX、Y、Zが示す状態を説明する。
【００２３】
Xは、商用電源４の状態を示し、各値H,N,Lは以下のような状態を示す。
H：売電不可（商用電源４の電圧が規定値以上）
N:通常
L：停電（商用電源４の電圧が規定値以下）
Yは、蓄電池６の蓄電レベルを示し、各値1〜5は以下の状態を示す。
1：枯渇
2：枯渇と蓄電基準値#1の間
3：蓄電基準値#1と蓄電基準値#2の間
4：蓄電基準値#2と満杯の間
5：満杯
【００２４】
Zは、電力制御状態を示し、値1〜8は、以下の状態を示す。
1:電力制御装置１は、商用電源４から契約最大電力値まで買電し、太陽光発電装置５からの電力と商用電源４の合計電力が余剰である場合（合計電力が消費電力より多い場合）、余剰電力を蓄電池６に充電する。
2:電力制御装置１は、商用電源４から契約最大電力値まで買電する。また、太陽光発電装置５からの電力と商用電源４からの電力の合計電力が余剰である場合、電力制御装置１は、余剰電力を蓄電池６に充電する。また、電力制御装置１は、太陽光発電装置５からの電力と商用電源４からの電力の合計電力が不足である場合（合計電力が消費電力より少ない場合）、不足電力を蓄電池６から放電させる。
3:電力制御装置１は、太陽光発電装置５から消費電力装置２に電力供給させ、不足する場合、不足電力を買電し、余剰である場合、余剰電力を蓄電池６に充電する。また、買電をしたが、太陽光発電装置５からの電力と商用電源４からの電力の合計電力が不足である場合、電力制御装置１は、不足電力を蓄電池６から放電させる。
4:電力制御装置１は、太陽光発電装置５から消費電力装置２に電力供給させ、不足する場合、不足電力を買電し、余剰である場合、余剰電力を売電する。また、買電をしたが、太陽光発電装置５からの電力と商用電源４からの電力の合計電力が不足である場合、電力制御装置１は、不足電力を蓄電池６から放電させる。
5:電力制御装置１は、蓄電池６から放電させ、放電電力から消費電力を減算することで算出される余剰電力を、契約上の最大売電電力値を上限として売電する。
6:電力制御装置１は、太陽光発電装置５からの発電電力量を蓄電池６に充電する。
7:電力制御装置１は、商用電源４の売電および買電を行わない。電力制御装置１は、太陽光発電装置５から消費電力装置２に電力供給させ、不足する場合、不足電力を蓄電池６から放電し、余剰である場合、余剰電力を蓄電池６に充電する。
8:電力制御装置１は、商用電源４の売電および買電を行わない。太陽光発電装置５から消費電力装置２に電力供給させ、不足する場合、不足電力を蓄電池６から放電し、余剰である場合、余剰電力を廃棄する。
【００２５】
次に、図２に示す状態遷移図の遷移条件を説明する。図２に示すように状態遷移（または状態維持）を示す矢印部分に(1)〜(16)のいずれかが付記されている。以下に(1)〜(16)の状態遷移条件（または維持条件）を説明する。図２における矢印部分の遷移条件を示す。なお、eは、商用電源電力を示し、yは総消費電力を示し、sは太陽光発電電力を示し、Bは、蓄電池電力量を示し、vは商用電源電圧を示す。
(1)e<契約最大電力閾値
(2)e=y-s<0
(3)e>契約最大電力閾値
(4)e=y-s>0
(5)B>蓄電基準値#2
(6)B<蓄電基準値#2
(7)B>蓄電基準値#1
(8)B<蓄電基準値#1
(9)B=満杯
(10)B<満杯
(11)B=枯渇
(12)B>枯渇
(13)v<停電電圧閾値
(14)v>停電電圧閾値
(15)v<売電電圧閾値
(16)v>売電電圧閾値
【００２６】
電力管理装置３は、後述する処理において、電力消費装置２から利用予約を受け付けたときは、蓄電基準値#2を増加させる。これにより、電力制御装置１は、優先的に放電および売電を行う範囲を減少させるので、その後の電力利用により蓄電池６の残量が急速に減少することを防ぎ、充放電切り替え回数および充放電サイクル量を減少させることができる。なお、充放電サイクル量は、単位時間あたりの充電電力量または放電電力量である。
【００２７】
図３は、実施形態１のシステムの動作概要の一例を示す図である。電力消費装置２が電力利用要求メッセージを電力管理装置３に送信すると、電力管理装置３は、契約最大電力予約残量および蓄電池電力量利用予約バケットのうちの少なくとも一方から利用予約を行う。契約最大電力予約残量は、商用電源４から利用予約可能な電力を示す。蓄電池電力量利用予約バケットは、蓄電池６から利用予約可能な電力量を示す。また、電力管理装置３は、要求された電力値を利用最大予約残量から確保し、要求された電力量を商用電源４および蓄電池６の少なくとも一方から確保する。電力管理装置３は、確保した電力値（許容電力値）および電力量（許容電力量）を電力消費装置２に通知する。利用最大電力予約残量は、電力消費装置２が利用可能な電力の総量である利用最大電力の残量を示し、利用最大電力は、利用者によって予め設定される。
【００２８】
電力管理装置３は、利用予約を行うと、利用電力チケットリストに利用予約状況を記録する。また、電力管理装置３は、利用予約（確保）した電力量の総量である許容電力量（電力消費装置２が利用可能な電力量）を予約電力量積算バケットに加算する。そして、電力管理装置３は、予約電力量積算バケットの残量に基づいて、電力制御装置１が蓄電池６の充放電に制御に用いる蓄電電力基準値#2を算出する。
【００２９】
電力消費装置２は、利用予約した電力量から消費電力量を減算した電力量である利用残余電力量を電力管理装置３に通知する。
【００３０】
電力管理装置３は、利用残余電力量を予約電力量積算バケットから減算する。また、電力管理装置３は、利用残余電力量のうちの蓄電池電力量相当分である蓄電池供給電力量みなし量(Rwh)を予約可能量増量算出バケットに加算する。電力管理装置３は、予約可能量増量算出バケットの残量を蓄電池電力量利用予約バケットに加算する。つまり、利用予約した蓄電電力量の余剰分が返却される。
【００３１】
また、電力管理装置３は、総消費電力(y)を電力計１６から取得し、蓄電池６の充電電力量(x)を電力計１８から取得する。電力管理装置３は、所定時間あたりの総消費電力量(ywh)から制限電力量(Cwh)（商用電源４から利用予約していた電力量）の積算量(Zwh)を減算し、その値（Rwh2）に充電電力量(xwh)を加算した値を予約可能量増量算出バケットに加算する。また、電力管理装置３は、電力消費装置２の総消費電力量(ywh)を電力計１６から取得し、予約電力量積算バケットから減算する。
【００３２】
図４は、実施形態１の電力管理装置の電力利用要求受信時の処理（初回受信時）の流れの一例を示すフローチャートである。図４〜８の処理は、電力管理装置３が、電力消費装置２から、初めて電力利用要求メッセージを送られたときに開始される。電力消費装置２は、例えば、利用者により電源が投入されたときに、初回の電力利用要求メッセージを送信する。
【００３３】
図５は、電力予約値テーブルの一例を示す図である。電力予約値テーブルは、電力消費装置２が記憶部２２に記憶するテーブルである。図５に示すように、電力予約値テーブルは、最大電力(w)、予約電力量(wh)、電力予約確保条件、停電時保証要否、緊急度を含む。最大電力は、電力消費装置２が消費する最大の電力値を示す。
【００３４】
予約電力量は、電力消費機器製造メーカが機能単位毎に設定した消費電力量と、利用者が予め設定した機能単位に基づいて決定される。例えば、電力消費装置２が炊飯器であれば、機器メーカが、炊飯する質量毎の電力量を炊飯器に記憶させておく。そして、利用者が炊飯器に米と水を入れると、炊飯器が、その質量を計測し記憶された質量毎の電力量を用いて予約電力量を算出する。例えば、電力消費装置２がTVであれば、機器メーカが単位時間の消費電力をTVに記憶させておく。また、利用者が、自分が快適と考える最短の視聴時間をTVに記憶させておく。利用者がTVの電源をONにしたときに、TVは、記憶された単位時間の消費電力と視聴時間に基づいて予約電力量を算出する。
【００３５】
電力予約確保条件は、予約電力量を蓄電池６から全量を一括で確保するか（一括全量）、部分確保でもよいか（確保可能量）を示す。
【００３６】
停電時保証要否は、停電時の動作に関する要求を示している。「保証要」は、停電時に電力消費装置２を動作する必要があることを意味する。「保証不要」は、停電時に電力消費装置２を動作させたいが「保証要」の装置よりも優先度が低いことを意味する。「停止」は、停電時に電力消費装置２を停止することを意味する。
【００３７】
緊急度は、電力消費装置２の緊急性の高さを示しており、利用者によって予め設定される。
【００３８】
図６は、電力利用要求メッセージの一例を示す図である。図６に示すように、電力利用要求メッセージは、メッセージ種別、消費電力保証内容、宛先、送信元に関する情報を含む。なお、電力利用要求メッセージは、電力消費装置２から電力管理装置３へ送られる。
【００３９】
消費電力保証内容は、初回/継続表示、チケットID、要求電力値(w)、要求電力量(wh)、利用残余電力量(wh)、確保条件、停電時保証要否、緊急度を含む。
【００４０】
初回/継続表示は、電力利用要求メッセージの送信が初回か、２回目以降（継続）かを示す。チケットIDは、電力利用要求メッセージ毎に一意の値である。要求電力値(w)は、電力予約値テーブルの最大電力に基づいて設定される。要求電力量(wh)は、電力予約値テーブルの予約電力量に基づいて設定される。利用残余電力量は、予約した電力量のうち、未使用の電力量を示すが、詳しくは後述する。確保条件、停電時保証要否、緊急度は、それぞれ、電力予約値テーブルに設定されている内容に基づいて設定される。
【００４１】
電力管理装置３の通信部３３は、電力消費装置２から、電力利用要求メッセージを受信する（ステップＳ１００）。電力管理装置３の制御部３１は、電力消費装置２から、電力利用要求メッセージを受け取ると、商用電源４の状態が停電かどうかを確認する（ステップＳ１０１）。制御部３１は、ステップＳ１０１において、例えば、通信部３３を介して電力制御装置１に問い合わせを行うことにより、商用電源４が停電かどうかを確認する。
【００４２】
制御部３１は、停電状態であることを確認した場合（ステップＳ１０１でＹＥＳ）、受け取った電力利用要求メッセージにおける停電保証条件が「停止」であるかを確認する（ステップＳ１０２）。停電保証条件が「停止」である場合、ステップＳ１１３に移行し、制御部３１は、「確保結果：NG」を含む電力利用応答メッセージを通信部３３を介して電力消費装置２に送信する。
【００４３】
図７は、電力利用応答メッセージの一例を示す図である。図７に示すように、電力利用応答メッセージは、メッセージ種別と、確保結果と、消費電力保証内容と、宛先と、送信元に関する情報を含む。消費電力保証内容は、チケットIDと、許容電力値(w)、許容電力量(wh)、停電保証有無、期限を示す。停電保証有無は、電力利用要求メッセージにおける停電保証条件に基づいて設定される。期限は、予約された電力量の使用期限を示す。
【００４４】
許容電力値(w)、許容電力量(wh)は、確保結果が「NG」である場合は、記載されない。確保結果が「OK」である場合の許容電力値(w)、許容電力量(wh)の算出方法は、詳しくは後述する。
【００４５】
商標電源４が停電状態ではない、または、停電保証条件が「停止」ではない場合（ステップＳ１０１またはＳ１０２でＮＯ）、制御部３１は、その電力利用要求メッセージに対して、チケットＩＤを確保する（ステップＳ１０３）。制御部３１は、ステップＳ１０３において、電力利用要求メッセージ毎に一意な値をチケットＩＤとして発行し、記憶部３２に記憶させる。
【００４６】
制御部３１は、利用最大電力予約残量から電力利用要求メッセージの要求電力値(qw)を確保する（ステップＳ１０４）。制御部３１は、例えば、利用最大電力予約残量から、要求電力値(qw)を減算する。確保前の利用最大電力予約残量が、要求電力値(qw)より大きい場合、確保可能であるが、小さい場合確保不可能となる。
【００４７】
制御部３１は、要求電力値(qw)を確保できたか確認する（ステップＳ１０５）。確保できなかった場合、制御部３１は、ステップＳ１１３に以降し、「確保結果：NG」を含む電力利用応答メッセージを通信部３３を介して電力消費装置２に送信する。
【００４８】
制御部３１は、電力利用要求メッセージにおける停電保証条件が「停止」かどうか確認する（ステップＳ１０６）。停電保証条件が「停止」でない場合、停電時に停止させないために、蓄電池６から電力を確保する必要があるので、蓄電池６の予約残量を示す蓄電値電力量利用予約バケットから電力を確保する処理に移行する。
【００４９】
停電保証条件が「停止」でない場合（ステップＳ１０６でＮＯ）、制御部３１は、電力利用要求メッセージにおける確保条件は「一括全量」かどうか確認する（ステップＳ１０７）。確保条件が「一括全量」である場合、制御部３１は、蓄電池電力量利用予約バケットから要求電力量と緊急度に従って要求電力量の全量を確保する（ステップＳ１０８）。また、制御部３１は、確保電力量をT4whとして記憶部３２に記憶させる。
【００５０】
蓄電池電力量利用予約バケットには、緊急度に対応した閾値が設定されている。蓄電池電力量利用予約バケットから要求電力量を減算して、その減算結果が所定の閾値を下回ったら、確保不可（後述するステップＳ１０９でＮＯ）となる。実施形態では、緊急度１／２／３のそれぞれに対応した閾値１／２／３が設定されている。例えば、電力利用要求メッセージの緊急度が１である場合、蓄電池電力量利用予約バケットから要求電力量を減算して、その減算結果が閾値１を下回ったら、確保不可（後述するステップＳ１０９でＮＯ）となる。緊急度が高いほど、対応する閾値の値は低くなる。
【００５１】
制御部３１は、ステップＳ１０８において蓄電池電力量利用予約バケットから要求電力量を全量が確保できたか確認し（ステップＳ１０９）、確保できた場合（ステップＳ１０９でＹＥＳ）、利用電力チケットリストに確保状況を記録する（ステップＳ１１０）。
【００５２】
図８は、利用電力チケットリストの一例を示す図である。利用電力チケットリストは、例えば、記憶部３２に記憶されており、ステップＳ１０３において電力消費装置２の要求に対して、電力が確保された場合にレコードが追加される。
【００５３】
図８に示すように、利用電力チケットリストは、清算周期、最新清算時刻を含む。清算周期は、後述の図１５に示す周期処理が実行される周期を示す。最新清算時刻は、直近に周期処理が実行された時刻を示す。また、各レコードは、チケットID、許容電力値qw(w)、制限電力値cw(w)、開始時刻、期限、停電時処理、電力消費機器IDを含む。許容電力値は、ステップＳ１０４において確保された電力値(qw)が記録される。制限電力値cw(w)は、契約最大電力予約残量から確保された電力値(cw)を示す。開始時刻は、電力確保時の時刻が設定される。期限は、確保された電力の使用期限を示す。停電時処理は、電力利用要求メッセージの停電時保証要否に基づいて設定される。電力消費装置IDは、電力を確保した対象の電力消費装置２に設定されているIDを示す。
【００５４】
制御部３１は、ステップＳ１１０において、ステップＳ１０３で確保したチケットID、許容電力値：qw、制限電力値：０、期限：なし、停電時動作：機能継続を記録する。
【００５５】
制御部３１は、電力利用応答メッセージを編集し（確保結果：OKとする）、電力利用要求メッセージの送信元へ送信する（ステップＳ１１１）。制御部３１は、ステップＳ１１１において、ステップＳ１０３で確保したチケットID、許容電力値：qw、許容電力量：T4wh、期限：なしを電力利用応答メッセージに記述し、送信する。制御部３１は、予約電力量積算バケットに、ステップＳ１０８で確保した確保電力量(T4wh)を加算する（ステップＳ１１２）。
【００５６】
制御部３１は、ステップＳ１０９で全量が確保できないと判定した場合、確保結果：NGを含む電力利用応答メッセージを通信部３３を介して、電力利用要求メッセージ送信元である電力消費装置２に送信する（ステップＳ１１３）。
【００５７】
制御部３１は、ステップＳ１０７において、確保条件が一括全量でなかった場合、すなわち、確保条件が「確保可能量」であった場合、蓄電池電力量利用予約バケットから、要求電力量と緊急度に従って可能量を確保する（ステップＳ１１４）。また、制御部３１は、確保電力量をT4whとして記憶部３２に記憶させる。
【００５８】
制御部３１は、ステップＳ１１４で要求電力量の一部を確保（部分確保）し、かつ電力利用要求メッセージにおける停電保証条件が「保証不要」であり、かつ商用電源４が停電状態ではない（停電復旧状態）かを確認する（ステップＳ１１５）。ステップＳ１１５の条件を全て満たす場合（ステップＳ１１５でＹＥＳ）、蓄電池６から全量を確保しないことを意味する。そのため、制御部３１は、未確保蓄電電力量相当の電力を契約最大電力予約残量から確保し（ステップＳ１１６）、ステップＳ１０９に移行する。契約最大電力予約残量は、商用電源４から確保可能な電力の残量を示す。制御部３１は、契約最大電力予約残量から確保した電力値をcwとして、記憶部３２に記憶させる。ステップＳ１１６における確保要求電力値(R_cw)は、以下のように表される。
【００５９】
R_cw=(要求電力量-T4wh)*要求電力値/要求電力量
【００６０】
制御部３１は、電力利用要求メッセージにおける停電保証条件が「停止」である場合（ステップＳ１０６でＹＥＳ）、要求電力値を契約最大電力予約残量から確保する（ステップＳ１１７）。すなわち、要求電力値を契約最大電力予約残量から減算する。停電保証条件が「停止」である場合、停電時に停止させるため、蓄電池６から電力を確保する必要がないからである。制御部３１は、確保した電力をcwとして、記憶部３２に一時的に記憶させる。
【００６１】
制御部３１は、未確保蓄電電力相当の電力量を蓄電池電力量利用予約バケットから
緊急度に従って確保し（ステップＳ１１８）、ステップＳ１０９に移行する。ステップＳ１１８における確保要求電力量(R_qwh)は、以下のように表される。制御部３１は、確保した電力量をT4whとして、記憶部３２に記憶させる。
【００６２】
R_qwh=要求電力量*(1-cw/qw）
【００６３】
次に、ステップＳ１１６またはＳ１１８から、ステップＳ１１０〜Ｓ１１２に移行した場合の処理を説明する。制御部３１は、利用電力チケットリストに確保状況を記録する（ステップＳ１１０）。制御部３１は、ステップＳ１１０において、チケットID、許容電力値：qw、制限電力値：cw、開始時刻：現在時刻、期限：現在時刻+T4wh/(qw-cw)、停電時動作：機能停止を記録する。
【００６４】
制御部３１は、電力利用応答メッセージを編集し（確保結果を"OK"とする）、電力利用要求メッセージの送信元へ送信する（ステップＳ１１１）。制御部３１は、ステップＳ１１１において、ステップＳ１０３で確保したチケットID、許容電力値：要求電力値、許容電力量：T4wh/(1-cw/qw)、期限：現在時刻+T4wh/(qw-cw)を電力利用応答メッセージに記載する。制御部３１は、予約電力量積算バケットへ確保電力量(T4wh/(1-cw/qw))を加算する（ステップＳ１１２）。
【００６５】
制御部３１は、ステップＳ１１２の処理後、予約電力量積算バケットの残量に基づいて、蓄電基準値#2を算出する（ステップＳ１１９）。蓄電基準値#2は、以下の式のように表される。蓄電基準値#2ベースは、蓄電基準値#2の初期値であり、例えば、蓄電基準値#1と同じ値が用いられる。
【００６６】
蓄電基準値#2=max{蓄電基準値#1,予約電力量積算バケット+蓄電基準値#2ベース]
【００６７】
制御部３１は、算出した蓄電基準値#2の値を含む変更メッセージを編集し、電力制御装置１へ送信する。（ステップＳ１２０）。
【００６８】
図９、１０は、実施形態１の電力管理装置の電力利用要求受信時の処理（継続受信時）の流れの一例を示すフローチャートである。図９の処理は、電力管理装置３は、電力消費装置２から、継続使用を要求する電力利用要求メッセージ（初回/継続欄に「継続」が記載されている）を送られたときに開始される。
【００６９】
電力管理装置３の通信部３３は、電力消費装置２から、電力利用要求メッセージを受信する（ステップＳ２００）。制御部３１は、電力利用要求メッセージを受け取ると、IDを照合することにより、許容電力チケットリストから、電力利用要求メッセージに対応するレコードを取り出す（ステップＳ２０１）。制御部３１は、電力利用要求メッセージの要求電力値(qw)から許容電力チケットリストの許容電力値を減算した値を追加要求電力値として設定する（ステップＳ２０２）。
【００７０】
制御部３１は、利用最大電力予約残量から、ステップＳ２０２で設定した追加要求電力値を確保する（ステップＳ２０３）。制御部３１は、追加要求電力値が負の値である場合、ステップＳ２０３において、利用最大電力予約残量に追加要求電力値を返却する（加算する）。
【００７１】
制御部３１は、利用最大電力予約残量から、追加要求電力値を確保できたか確認する（ステップＳ２０４）。制御部３１は、例えば、確保前の利用最大電力予約残量が、追加要求電力値をより大きいことを確認する。確保できた場合（ステップＳ２０４でＹＥＳ）、制御部３１は、余剰電力量内の制限電力量（Cwh）を以下のように算出する（ステップＳ２０５）。
【００７２】
Cwh=cw*(期限-max(最新精算時刻,開始時刻））
【００７３】
制御部３１は、電力利用要求メッセージにおける停電保証条件が「停止」かどうか確認する（ステップＳ２０６）。停電保証条件が「停止」でない場合、停電時に停止させないために、蓄電池６から電力を確保する必要があるので、蓄電池６から電力を確保する処理に移行する。
【００７４】
停電保証条件が「停止」でない場合（ステップＳ２０６でＮＯ）、制御部３１は、電力利用要求メッセージにおける確保条件は「一括全量」かどうか確認する（ステップＳ２０７）。確保条件が「一括全量」である場合、制御部３１は、蓄電池電力量利用予約バケットから、[要求電力量+Cwh]と緊急度に従って、[要求電力量+Cwh]の全量を確保する（ステップＳ２０８）。また、制御部３１は、確保電力量をT4whとして記憶部３２に一時記憶させる。
【００７５】
制御部３１は、ステップＳ２０８で全量が確保できた確認し（ステップＳ２０９）、確保できた場合（ステップＳ２０９でＹＥＳ）、利用電力チケットリストに確保状況を記録する（ステップＳ２１０）。制御部３１は、ステップＳ２１０において、ステップＳ２０１で取り出したレコードのチケットID、許容電力値：qw、制限電力値：0、期限：なし、停電時動作：機能継続を記録する。
【００７６】
制御部３１は、電力利用応答メッセージを編集し（確保結果を"OK"とする）、電力利用要求メッセージの送信元へ送信する（ステップＳ２１１）。制御部３１は、ステップＳ２１１において、チケットID、許容電力値：qw、許容電力量：T4wh-Cwh、期限：なしを電力利用応答メッセージに記載する。制御部３１は、予約電力量積算バケットへ確保電力量(T4wh-Cwh)を加算する（ステップＳ２１２）。
【００７７】
制御部３１は、ステップＳ２０９で全量が確保できなかった場合、確保結果：NGを含む電力利用応答メッセージを、通信部３３を介して、電力利用要求メッセージ送信元である電力消費装置２に送信する（ステップＳ２１３）。
【００７８】
制御部３１は、ステップＳ２０７において、確保条件が一括全量でなかった場合、すなわち、確保条件が「確保可能量」であった場合、蓄電池電力量利用予約バケットから、[要求電力量+Cwh]と緊急度に従って可能量を確保する（ステップＳ２１４）。また、制御部３１は、確保電力量をT4whとして記憶部３２に一時記憶させる。
【００７９】
制御部３１は、ステップＳ２１４で要求電力量の一部を確保（部分確保）し、かつ電力利用要求メッセージにおける停電保証条件が「保証不要」であり、かつ商用電源４が停電状態ではない（停電復旧状態）かを確認する（ステップＳ２１５）。ステップＳ２１５の条件を全て満たす場合（ステップＳ２１５でＹＥＳ）、蓄電池６から全量を確保しないことを意味する。そのため、制御部３１は、未確保蓄電電力量相当の電力を契約最大電力予約残量から確保し（ステップＳ２１６）、ステップＳ２０９に以降する。制御部３１は、契約最大電力予約残量から確保した電力値をcw2として、記憶部３２に一時記憶させる。ステップＳ１１６における確保要求電力値(R_cw)は、以下のように表される。
【００８０】
R_cw=(要求電力量-T4wh+Cwh)*要求電力値/(要求電力量+利用残余電力量)
【００８１】
制御部３１は、電力利用要求メッセージにおける停電保証条件が「停止」である場合（ステップＳ２０６でＹＥＳ）、要求電力を契約最大電力予約残量から確保する（ステップＳ２１７）。停電保証条件が「停止」である場合、停電時に停止させるため、蓄電池６から電力を確保する必要がないからである。制御部３１は、確保した電力をcw2として、記憶部３２に一時的に記憶させる。
【００８２】
制御部３１は、未確保蓄電電力相当の電力量として、確保要求電力量（R_qwh)を算出する（ステップＳ２１８）。確保要求電力量（R_qwh)は、以下の式のように表される。
【００８３】
R_qwh=要求電力量*(1-cw2/qw）-利用残余電力量+Cwh
【００８４】
制御部３１は、確保要求電力量（R_qwh)＞０を満たすか否かを判定する（ステップＳ２１９）。確保要求電力量（R_qwh)＞０である場合（ステップＳ２１９でＹＥＳ）、制御部３１は、蓄電池電力量利用予約バケットから確保要求電力量(R_qwh)と緊急度に従って可能量を確保し（ステップＳ２２０）、ステップＳ２０９に移行する。制御部３１は、確保した電力量をT4whとして、記憶部３２に記憶させる。
【００８５】
確保要求電力量R_qwh＞０でない場合（ステップＳ２１９でＮＯ）、制御部３１は、確保要求電力量R_qwhを蓄電池予約確保量T4whへ記憶する（ステップＳ２２１）。確保要求電力量R_qwh＞０でない場合、電力消費装置２において、利用予約した電力量を使い切らずに余ったことを意味する。そのため、制御部３１は、次のステップＳ２２２〜Ｓ２２５において、余剰電力量を蓄電池電力量利用予約バケットへ返却する。
【００８６】
制御部３１は、予約可能量増量算出バケットに-T4whを加算する（ステップＳ２２２）。予約可能量増量算出バケット＞０である場合（ステップＳ２２３）、蓄電池電力量利用予約バケットへ予約可能量増量算出バケットの残量を加算する（ステップＳ２２４）。制御部３１は、予約可能量増量算出バケットの残量を０とする（ステップＳ２２５）。
【００８７】
次に、ステップＳ２１６、Ｓ２２０、またはＳ２２５からステップＳ２１０〜Ｓ２１２に移行した場合の処理を説明する。
【００８８】
制御部３１は、利用電力チケットリストに確保状況を記録する（ステップＳ２１０）。制御部３１は、ステップＳ２１０において、ステップＳ２０１で取り出したレコードのチケットID、許容電力値：qw、制限電力値：cw2、開始時刻：現在時刻、期限：現在時刻+(利用残余電力量+T4wh-Cwh)/(qw-cw)、停電時動作：機能停止を記録する。
【００８９】
制御部３１は、電力利用応答メッセージを編集し（確保結果：OKとする）、電力利用要求メッセージの送信元へ送信する（ステップＳ２１１）。制御部３１は、ステップＳ２１１において、ステップＳ２０１で取り出したレコードのチケットID、許容電力値：要求電力値、許容電力量：(利用残余電力量+T4wh-Cwh)/(1-cw/qw)-利用残余電力量を電力利用応答メッセージに記載する。また、制御部３１は、ステップＳ２１１において、期限：現在時刻+(利用残余電力量+T4wh-Cwh)/(qw-cw)を電力利用応答メッセージに記載する。
【００９０】
制御部３１は、予約電力量積算バケットへ確保電力量(利用残余電力量+T4wh-Cwh)/(1-cw/qw)-利用残余電力量)を加算する（ステップＳ２１２）。
【００９１】
制御部３１は、ステップＳ２１２の処理後、予約電力量積算バケットの残量に基づいて、蓄電基準値#2を算出する（ステップＳ２２６）。蓄電基準値#2は、以下の式のように表される。蓄電基準値#2ベースは、蓄電基準値#2の初期値であり、例えば、蓄電基準値#1と同じ値が用いられる。
【００９２】
蓄電基準値#2=max{蓄電基準値#1,予約電力量積算バケット+蓄電基準値#2ベース]
【００９３】
制御部３１は、算出した蓄電基準値#2の値を含む変更メッセージを編集し、電力制御装置１へ送信する（ステップＳ２２７）。
【００９４】
上述のように、図９、１０に示す手順によれば、電力消費装置２から送信された利用予約情報（電力利用要求メッセージ）に応じて蓄電基準値#2が更新される。
【００９５】
図１１は、電力消費装置が電力利用応答メッセージを受信した場合の処理の一例を示すフローチャートである。電力消費装置２の制御部２１は、電力利用応答メッセージを受信が初回であるかを判定する（ステップＳ３０１）。例えば、制御部２１は、チケットIDがすでに記憶部２２に記憶されているかを確認する。
【００９６】
電力利用応答メッセージの受信が初回である場合、制御部２１は、確保結果がOKかを判定する（ステップＳ３０２）。確保結果がOKである場合、電力利用応答メッセージの許容電力量を許容電力量消費残余として記憶部２２に記憶させる（ステップＳ３０３）。許容電力量消費残余は、電力管理装置３から利用許可された電力量である許容電力量のうち、未使用の電力量を示す。
【００９７】
制御部２１は、電力利用応答メッセージのチケットIDを記憶部２２に記憶させる（ステップＳ３０４）。制御部２１は、電力利用応答メッセージの許容電力値を許容電力として記憶部２２に記憶させる（ステップＳ３０５）。制御部２１は、電力利用応答メッセージの期限を電力利用期限として記憶部２２に記憶させる（ステップＳ３０６）。制御部２１は、電力負荷制御部２７に電力消費可能であることを通知する。電力負荷制御部２７は、機器の電源をONにし、電力消費を開始する（ステップＳ３０７）。
【００９８】
制御部２１は、電力利用応答メッセージに電力利用期限があるか判定する（ステップＳ３０８）。制御部２１は、ステップＳ３０８において、電力利用応答メッセージの[期限]に時刻が記載されているか判定する。
【００９９】
制御部２１は、電力利用期限がない場合（ステップＳ３０８でＮＯ）、停電時も機能継続することを示す内容を表示装置２８に表示させる（ステップＳ３０９）。制御部２１は、電力利用期限がある場合、（ステップＳ３０８でＹＥＳ）停電時も機能停止することを示す内容を表示部２８に表示させる（ステップＳ３０９）。
【０１００】
制御部２１は、許容電力量消費残余≧予約電力量であるか判定する（ステップＳ３１１）。予約電力量は、図５に示す電力予約値テーブルに記録されている値である。制御部２１は、許容電力量消費残余≧予約電力量である場合、許容電力量残余、および電力利用期限に基づいて図１２に示す電力利用継続要求処理の起動時刻を決定する（ステップＳ３１２）。制御部２１は、電力利用継続要求処理の起動時刻を、例えば、電力利用期限の所定時間前の時刻とする。電力利用継続要求処理については、後述する。制御部２１は、許容電力量消費残余≧予約電力量である場合、表示部２８に電力規制中であることを示す表示と電源OFFまでの時間を表示させる（ステップＳ３１３）。
【０１０１】
制御部２１は、電力利用応答メッセージの受信が初回でない場合（ステップS３０１でＮＯ）電力利用応答メッセージの確保結果が「OK」か判定する（ステップＳ３１４）。制御部２１は、確保結果が「OK」である場合（ステップＳ３１４でＹＥＳ）、電力計２６から電力消費量を取得する（ステップＳ３１５）。制御部２１は、許容電力量消費残余に許容電力量を加算し、電力消費量を減算し、許容電力量消費残余を更新する（ステップＳ３１６）。
【０１０２】
制御部２１は、確保結果が「NG」である場合（ステップＳ３１４でＮＯ）、電力計２６から、電力消費量を取得する（ステップＳ３１７）。制御部２１は、許容電力量消費残余から電力消費量を減算し、許容電力量消費残余を更新する（ステップＳ３１８）。
【０１０３】
制御部２１は、ステップＳ３１６またはステップＳ３１８の処理後、電力利用応答メッセージの許容電力値を許容電力として記憶部２２に記憶させる（ステップＳ３１９）。また、制御部２１は、電力利用応答メッセージの期限を電力利用期限として記憶部２２に記憶させる（ステップＳ３２０）。
【０１０４】
電力消費装置２は、電力利用応答メッセージを受信時に、メッセージ内容を表示部２８に表示させてもよい。
【０１０５】
図１２は、電力消費装置による電力利用継続要求処理の一例を示すフローチャートである。図１２に示す電力利用継続要求処理は、例えば、図１１のステップ３１２における処理で決定された時刻に開始される。電力利用継続要求処理は、周期的に起動してもよい。
【０１０６】
電力消費装置２の制御部２１は、電力消費装置２の電力計２６から、電力消費量を取得する（ステップＳ４０１）。制御部２１は、許容電力量消費残余から電力消費量を減算し、利用残余電力量として記憶部２２に記憶させる（ステップＳ４０２）。
【０１０７】
制御部２１は、電力予約テーブルに従い、電力利用要求メッセージを編集する（ステップＳ４０３）。制御部２１は、電力利用要求メッセージの初回／継続の欄に「継続」を設定し、利用残余電力量として、ステップＳ４０２で計算された値を設定する。
【０１０８】
制御部２１は、電力管理装置３に、ステップＳ４０３で編集した電力利用要求メッセージを送信する（ステップＳ４０４）。制御部２１は、利用残余電力量を許容電力量残余として記憶する（ステップＳ４０５）。
【０１０９】
図１３は、電力消費装置の電力利用終了時の処理を示すフローチャートである。図１３に示す処理は、電力消費装置２の動作の終了時に開始される。電力消費装置２の動作終了は、装置の自動停止、または利用者の終了操作により実施される。
【０１１０】
電力消費装置２の制御部２１は、電力計２６から、電力消費量を取得する（ステップＳ５０１）。制御部２１は、許容電力量消費残余から電力消費量を差し引き利用残余電力量として記憶部２２に記憶させる（ステップＳ５０２）。
【０１１１】
制御部２１は、電力利用終了通知メッセージを編集する。制御部２１は、図１１のステップＳ３０４において記憶したチケットIDと、利用残余電力量を電力利用終了通知メッセージに設定する（ステップＳ５０３）。制御部２１は、電力管理装置３に電力利用終了通知メッセージを送信する（ステップＳ５０４）。制御部２１は、チケットIDを未受領として記憶部２２に記憶させる（ステップＳ５０５）。これにより、次の電力利用要求メッセージを送信する場合、初回/継続表示は「初回」となる。
【０１１２】
図１４は、実施形態１の電力管理装置が電力消費装置から電力利用終了通知を受信した時の処理の一例を示すフローチャートである。電力管理装置３の制御部３１は、受信した電力利用終了通知のチケットIDに対応するチケットIDを含むレコードを、利用電力チケットリストから取得する（ステップＳ６０１）。
【０１１３】
制御部３１は、余剰電力量内制限電力量(Cwh)を下記のように算出する（ステップＳ６０２）。
【０１１４】
Cwh=cw*(期限-max(開始時刻,最新精算時刻））。
【０１１５】
制御部３１は、以下のように余剰電力量内の蓄電池供給電力量みなし量(Rwh)を算出する（ステップＳ６０３）。
【０１１６】
Rwh=利用残余電力量-Cwh。
【０１１７】
制御部３１は、予約可能量増量算出バケットにRwhを加算し（ステップＳ６０４）、予約可能量増量算出バケット＞０であるかを判定する（ステップＳ６０５）。予約可能量増量算出バケット＞０である場合（ステップＳ６０５でＹＥＳ）、制御部３１は、蓄電池電力量利用予約バケットへ予約可能量増量算出バケット残量を加算する（ステップＳ６０６）。制御部３１は、予約可能量増量算出バケットに示す電力量を蓄電池電力量利用予約バケットに移したため、予約可能量増量算出バケットを０とする（ステップＳ６０７）。
【０１１８】
以上のステップＳ６０４〜Ｓ６０７において、制御部３１は、余剰電力量内の蓄電池供給電力量みなし量を蓄電池電力量利用予約バケットへ返却する。すなわち、電力消費装置２が予約をしたが未使用の電力量のうち、蓄電池６から確保（利用予約）した電力量相当が蓄電池電力量利用予約バケットに返却される。
【０１１９】
制御部３１は、利用電力チケットリストの制限電力値(cw)を契約最大電力予約残量へ返却（加算）する（ステップＳ６０８）。制御部３１は、許容電力値(qw)を利用最大電力予約残量へ返却（加算）する（ステップＳ６０９）。制御部３１は、受信した電力利用終了通知のチケットIDに対応するチケットIDを含むレコードを、利用電力チケットリストからを削除する（ステップＳ６１０）。
【０１２０】
制御部３１は、予約電力量積算バケットから利用残余電力量を減算する（ステップＳ６１１）。制御部３１は、蓄電基準値#2を以下のように算出し、更新する（ステップＳ６１２）。
【０１２１】
蓄電基準値#2=max{蓄電基準値#1,予約電力量積算バケット+蓄電基準値#2ベース]
【０１２２】
制御部３１は、算出した蓄電基準値#2を含む蓄電基準値#2変更メッセージを編集し、電力制御装置１へ送信する（ステップＳ６１３）。
【０１２３】
図１４に示す処理により、電力管理装置３が、電力消費装置２から通知された利用残余電力量を用いて、蓄電池電力量利用予約バケットを更新し、蓄電基準値#2を更新する。これにより、電力管理装置３は、電力消費装置２の最新の利用状況に応じて、最適な蓄電基準値#2を算出することができる。
【０１２４】
図１５、１６は、実施形態１の電力管理装置および電力制御装置が周期的に行う処理を示すフローチャートである。電力管理装置３の制御部３１は、電力利用状況を送信することを要求する電力利用状況要求メッセージを編集する。そして、通信部３２が電力利用状況要求メッセージを電力制御装置１へ送る（ステップＳ７０１）。
【０１２５】
電力制御装置１の通信部１３は、電力利用状況要求メッセージ受け取ると、電力計１８から蓄電池６の蓄電電力量（残量）を取得する（ステップＳ７５１）。通信部１３は、電力消費装置２の総消費電力量を知るために、電力計１６から電力量を取得する（ステップＳ７５２）。電力制御装置１の制御部１１は、蓄電池６の蓄電電力量と総消費電力量とを含む電力利用状況通知メッセージを編集する。そして、通信部１３は、電力利用状況通知メッセージを電力利用状況要求メッセージ送信元（電力管理装置３）へ返送する（ステップＳ７５３）。
【０１２６】
電力管理装置３の通信部３２は、電力制御装置１から送られた電力利用状況通知メッセージを受け取る（ステップＳ７０２）。制御部３１は、送られた電力利用状況通知メッセージに記載されている総消費電力量から前回の総消費電力量を減算して、総消費電力量差分(ywh)を算出する（ステップＳ７０３）。
【０１２７】
制御部３１は、送られた電力利用状況通知メッセージに記載されている蓄電電力量から前回の蓄電電力量を減算して充放電電力量(xwh)を算出する（ステップＳ７０４）。充放電電力量(xwh)は、充電時に正となり、放電時に負となる値である。制御部３１は、積算期間内制限電力量(Zwh)を初期化する（ステップＳ７０５）。積算期間内制限電力量(Zwh)については、後述する。制御部３１は、積算期間内制限電力量(Zwh)がまだ計算されていない場合は、ステップＳ７０５の処理を行わない。
【０１２８】
制御部３１は、時計管理部３５から、現在時刻を取得する（ステップＳ７０６）。制御部３１は、利用電力チケットリスト内の全てのレコードについて繰り返し処理を開始する（ステップＳ７０７）。制御部３１は、余剰電力量内制限電力量(Cwh)を以下のように算出する（ステップＳ７０８）。
【０１２９】
Cwh=cw*(現在時刻-Max(最新精算時刻,開始時刻）)
【０１３０】
制御部３１は、積算期間内制限電力量(Zwh)に期間内制限電力量(Cwh)を加算する（ステップＳ７０９）。制御部３１は、利用電力チケットリスト内の全てのレコードに対して、ステップＳ７０８、Ｓ７０９の処理を行った後、繰り返し処理を終了する（ステップＳ７１０）。
【０１３１】
制御部３１は、総消費電力量差分(ywh)内の蓄電池供給電力量みなし量(Rwh2)を算出する。
【０１３２】
Rwh2 =ywh-Zwh（ステップＳ７１１）。
【０１３３】
制御部３１は、予約可能量増量算出バケットにRwh2+xwhを加算する（ステップＳ７１２）。Rwh2は、電力消費装置２が予約した電力量の内、使用済分相当量を新しい電力利用要求に割り当てられるようにするために加算される。xwhは、蓄電池６の充放電に応じて、新しい電力利用要求に当てられるようにするために加算される。
【０１３４】
制御部３１は、予約可能量増量算出バケット＞０かどうかを確認する（ステップＳ７１３）。予約可能量増量算出バケット＞０である場合（ステップＳ７１３でＹＥＳ）、制御部３１は、蓄電池電力量利用予約バケットに、予約可能量増量算出バケット残量を加算し（ステップＳ７１４）、予約可能量増量算出バケットを０とする（ステップＳ７１５）。
【０１３５】
制御部３１は、ステップＳ７１２〜Ｓ７１５の処理により、総消費電力差分内蓄電池供給電力量みなし量を蓄電池電力量利用予約バケットへ返却し、充放電量（充電時:正）を加算する。
【０１３６】
制御部３１は、現在時刻を、利用電力チケットリストの最新精算時刻に記録する（ステップＳ７１６）。制御部３１は、予約電力量積算バケットから総消費電力量差分(ywh)を減算する（ステップＳ７１７）。
【０１３７】
制御部３１は、ステップＳ７１７で更新した予約電力量積算バケットを用いて、蓄電基準値#2を以下のように算出する（ステップＳ７１８）。
【０１３８】
蓄電基準値#2=max{蓄電基準値#1,予約電力量積算バケット+蓄電基準値#2ベース}
【０１３９】
制御部３１は、蓄電基準値#2変更メッセージの蓄電基準値#2を更新する（編集する）。そして、通信部３３が、蓄電基準値#2変更メッセージを電力制御装置１へ送信する（ステップＳ７１９）。
【０１４０】
以上の処理により、電力管理装置３は、実際の消費電力量を電力制御装置１から取得し、消費電力に基づいて蓄電基準値#2を更新する。これにより、電力管理装置３は、消費電力装置２との通信を増加させずに、蓄電基準値#2を最新の消費電力量を考慮した適切な値に更新することができる。
【０１４１】
図１７は、電力制御装置、電力消費装置、および電力管理装置の停電時および停電復旧時の処理を示すフローチャートである。電力制御装置１は、電力制御停止までの繰り返し処理を開始する（ステップＳ８０１）。
【０１４２】
電力制御装置１は、商用電源４が停電状態から復旧するまで待つ（ステップＳ８０２）。商用電源４が復旧状態となった場合、電力制御装置１は、停電/復旧メッセージ（復旧）を編集し、電力管理装置３に送信する（ステップＳ８０３）。停電/復旧メッセージは、商用電源４が停電状態か復旧状態かを示す情報を含む。
【０１４３】
電力制御装置１は、商用電源４が復旧状態から停電となるまで待つ（ステップＳ８０４）。商用電源４が停電状態となった場合、電力制御装置１は、停電/復旧メッセージ（停電）を編集し、電力管理装置３に送信する（ステップＳ８０５）。
【０１４４】
電力制御装置１は、電力制御を終了したときに、繰り返し処理を終了する（ステップＳ８０６）。
【０１４５】
電力管理装置３は、停電/復旧メッセージを受け取ると、メッセージ内容が示す商用電源４の状態が停電であるかを判定する（ステップＳ８１１）。停電である場合（ステップＳ８１１でＹＥＳ）、電力管理装置３は、商用電源４の状態が停電状態であることを記憶部３２に記憶させる（ステップＳ８１２）。停電でない場合（ステップＳ８１１でＮＯ）、電力管理装置３は、商用電源状態が復旧状態であることを記憶部３２に記憶させる（ステップＳ８１３）。
【０１４６】
電力管理装置３は、利用電力チケットリスト内の全てのレコードについて、繰り返し処理を開始する（ステップＳ８１４）。電力管理装置３は、利用電力チケットリストにおいて、停電時処理が「機能停止」であるか判定する（ステップＳ８１５）。「機能停止」である場合（ステップＳ８１５でＹＥＳ）、電力管理装置３は、停止指示メッセージを編集し、電力消費装置２へ送信する（ステップＳ８１６）。電力管理装置３は、全てのレコードについてステップＳ８１５、Ｓ８１６の処理が完了した場合、繰り返し処理を終了する（ステップＳ８１７）。
【０１４７】
電力管理装置３は、利用電力チケットリストにおいて停電時処理が「機能停止」である電力消費装置２をあらかじめマルチキャストの送信先として設定しておいてもよい。これにより、電力管理装置３は、マルチキャスト機能により停止指示メッセージを一斉送信することができるため、送信時の処理を簡略化することができる。
【０１４８】
電力消費装置２は、電力管理装置３から停止指示メッセージを受け取ると、電力消費機能を停止する（ステップＳ８２１）。電力消費装置２は、図１３に示す電力利用終了時の処理を実行し、電力利用終了通知を電力管理装置３へ送信する（ステップＳ８２２）。
【０１４９】
次に、上記の処理で説明した各値を計算式で表した例を説明する。4Tは蓄電池電力量利用予約バケット、5Tは予約電力量積算バケット、2Tiは電力消費装置２iの利用残余電力量、Yiは、電力消費装置２iの許容電力量（予約値）、4tiは電力消費装置２iへの蓄電池予約電力量である。Ci(t)は、電力消費装置２iの制限電力値（予約値）、yi(t)は、電力消費装置２iの利用電力値（実績）、y(t)は、総消費電力量、x(t)は、蓄電池の充放電電力値（充電のときに正となる）、Xは、蓄電電力量（実績）、X0は、蓄電電力量（初期値）である。
【０１５０】
蓄電電力量Xは、以下の式(1-1)のように表される。
【０１５１】
【数１】
2018007466.tif 000003
【０１５２】
総消費電力量y(t)は、以下の式(1-2)のように表される。
【０１５３】
【数２】
2018007466.tif 000004
【０１５４】
利用残余電力量2Tiは、以下の式(1-3)のように表される。
【０１５５】
【数３】
2018007466.tif 000005
【０１５６】
許容電力量（予約値）Yiは、以下の式(1-4)のように表される。
【０１５７】
【数４】
2018007466.tif 000006
【０１５８】
蓄電池電力量利用予約バケット4Tは、以下の式(1-5)のように表される。
【０１５９】
【数５】
2018007466.tif 000007
【０１６０】
予約電力量積算バケット5Tは、以下の式(1-6)のように表される。
【０１６１】
【数６】
2018007466.tif 000008
【０１６２】
4T+5Tは、以下の式(1-7)のように表される。
【０１６３】
【数７】
2018007466.tif 000009
【０１６４】
図１８は、停電保証（蓄電池の利用予約電力量）のない電力消費を含む電力消費の例を示す。図１８において、実線の曲線は、電力消費装置２の総消費電力を示す。また、破線の直線は、商用電源４から利用予約を行った電力（制限電力）を示す。破線の曲線は、ＴＶ#1とＴＶ#2の消費電力を示す。ＴＶ#1とＴＶ#2は、商用電力４の電力を利用する利用予約を行っており、制限電力内で使用されている。一点鎖線は、太陽光発電の発電電力（s）を示し、一点鎖線が下方に下がるほど、電力が大きいことを示す。
【０１６５】
炊飯の消費が開始された後、TVの消費が開始され、商用電源４の契約最大電力を上回るまで、商用電源４の電力(e)と太陽光発電装置５の電力(s)から各消費機器への電力供給が行われる。消費電力が商用電源４の契約最大電力を上回ると、蓄電池６の放電(x(-))を行い蓄電池６から各消費機器へ電力供給が行われる。
【０１６６】
その後、放電により蓄電池６の残量が蓄電規定値#1を下回ったとする。そして、消費電力が減少し、再び契約最大電力を下回ると、商用電源４の余剰電力により蓄電池６への充電(x(+))が行われる。
【０１６７】
実施形態の電力管理装置によれば、電力消費装置の利用予約の状況に基づいて、充放電の制御に用いられる基準値を算出し、更新する。これにより、電力制御装置１は、優先的に放電および売電を行う範囲を減少させるので、蓄電池の充放電切り替え回数および充放電サイクル量を減らし、蓄電池の寿命を長くすることができる。
【０１６８】
実施形態の電力管理装置によれば、停電時、停止しては困る電力消費装置（例えば、停電時保証要である装置）には、蓄電池から優先的に電力を確保する。また、確保できない場合、電力消費装置は、動作を開始しない。電力消費装置は、動作を開始した場合、停電となっても動作継続が可能であり、随意に新規に他の電力消費装置を動作開始しても、許容された電力消費の範囲内において、動作を妨げられることはない。
【０１６９】
また、電力管理装置により設定された期限により、利用者が電力消費装置の停止時期を事前に知ることができる。また、停電時に機能停止するかどうかを電力消費装置の利用者が、予め知ることができる。また、電力管理装置が電力消費装置の消費電力および充放電電力を計測し、利用状況を管理するため、各電力消費装置からの電力利用要求の都度、他の電力消費装置にその許容電力量の利用残余を問い合わせる必要がない。そのため、消費電力量の調整制御のための通信量を削減することできる。
【０１７０】
＜実施形態２＞
以下、図面を参照して、実施形態２について説明する。なお、以下の説明において、主に実施形態１と異なる部分を説明する。特に説明しない構成に関しては、実施形態１と同様であるとする。実施形態２のシステム構成は、図１に示した構成と同じである。
【０１７１】
図１９は、実施形態２のシステムの動作概要を示す図である。以下、図３に示す実施形態１の動作概要と異なる部分を説明する。
【０１７２】
電力管理装置３は、電力消費装置２に利用予約した蓄電電力量を予約電力量積算バケットに加算する。また、電力管理装置３は、消費電力装置２から取得した利用残余電力量から制限電力量(Cwh)（商用電源４から利用予約していた電力量）を減算した値(Rwh)を利用電力量積算バケットに加算する。
【０１７３】
電力管理装置３は、電力消費装置２の所定時間あたりの総消費電力量(ywh)から制限電力量(Cwh)の積算量(Zwh)を減算した値(Rwh2)を、利用電力量積算バケットに加算する。また、利用電力量積算バケットの残量を予約電力積算バケットに投入する。
【０１７４】
次に実施形態２の電力管理システムの動作を、フローチャートを用いて説明する。図２０は、実施形態２の電力管理装置の電力利用要求受信時の処理（初回受信時）の流れの一例を示すフローチャートである。実施形態１の図４に示す処理と、ステップＳ１１２の替わりにステップＳ１１２’を行っている点が異なる。
【０１７５】
実施形態１では、ステップＳ１１２において、制御部３１は、予約電力量積算バケットに、確保電力量(T4wh)（ステップＳ１１６またはＳ１１８から以降した場合、(T4wh/(1-cw/qw))）を加算する。一方、実施形態２では、ステップＳ１１２’において、いずれのステップから移行した場合でも、制御部３１は、予約電力量積算バケットへ蓄電池内確保電力量T4whを加算する。
【０１７６】
図２１、２２は、実施形態２の電力管理装置の電力利用要求受信時の処理（継続受信時）の流れの一例を示すフローチャートである。実施形態１の図９に示す処理と、ステップＳ２１２の替わりにステップＳ２１２’を行っている点が異なる。
【０１７７】
実施形態１では、ステップＳ２１２において、制御部３１は、予約電力量積算バケットへ確保電力量(T4wh-Cwh)を加算する。また、ステップＳ２１６、Ｓ２２０、またはＳ２２５からステップＳ２１２に移行した場合、制御部３１は、予約電力量積算バケットへ確保電力量(利用残余電力量+T4wh-Cwh)/(1-cw/qw)-利用残余電力量)を加算する。一方、実施形態２では、制御部３１は、何れのステップから移行した場合であっても、ステップＳ２１２’において、予約電力量積算バケットへ蓄電池内確保電力量T4whを加算する。
【０１７８】
以上のように、実施形態２の電力管理装置３は、予約電力量積算バケットへ蓄電池内確保電力量を加算し、加算後の予約電力量積算バケットの残量に基づいて充放電制御に用いられる蓄電基準値#2を算出する。すなわち、電力管理装置３は、蓄電池６からの将来的な放電量を示す蓄電池内確保電力量に基づいて、蓄電基準値#2を更新するので、より適切な蓄電基準値#2を設定することができる。
【０１７９】
また、実施形態１では、ステップＳ２２５の後にステップＳ２１０に移行しているが、実施形態２では、ステップＳ２２５の後に、ステップＳ２２６〜ステップＳ２３１が追加され、その後にステップＳ２１９に移行する点が異なる。以下、ステップＳ２２６〜ステップＳ２３１の処理を説明する。
【０１８０】
制御部３１は、利用電力チケットリストに確保状況を記録する（ステップＳ２２６）。制御部３１は、ステップＳ２２６において、ステップＳ２０１で取り出したレコードのチケットID、許容電力値：qw、制限電力：cw2、開始時刻：現在時刻、期限：現在時刻+(利用残余電力量+T4wh-Cwh)/(qw-cw)、停電時動作：機能停止を記録する。
【０１８１】
制御部３１は、電力利用応答メッセージを編集し（確保結果：OKとする）、電力利用要求メッセージの送信元へ送信する（ステップＳ２２７）。制御部３１は、ステップＳ２１７において、ステップＳ２０１で取り出したレコードのチケットID、許容電力値：要求電力値、許容電力量：(利用残余電力量+T4wh-Cwh)/(1-cw/qw)-利用残余電力量、期限：現在時刻+(利用残余電力量+T4wh-Cwh)/(qw-cw)を電力利用応答メッセージに記載する。
【０１８２】
制御部３１は、利用電力量積算バケットに(-T4wh)を加算する（ステップＳ２２８）。制御部３１は、利用電力量積算バケット＞０であるかを判定する（ステップＳ２２９）。利用電力量積算バケット＞０である場合（ステップＳ２２９でＹＥＳ）、制御部３１は、予約電力量積算バケットから利用電力量積算バケット残量を減算し（ステップＳ２３０）、利用電力量積算バケットを０とする（ステップＳ２３１）。制御部３１は、ステップＳ２３１の後、ステップＳ２１９に移行する。
【０１８３】
以上のように、実施形態２では、余剰がある場合に、余剰電力量内の蓄電池電力量に相当する電力量(T4wh)を予約電力積算バケットから減算する。よって、実施形態２の電力管理装置３は、電力利用要求受信時の処理（継続受信時）において、適切に蓄電基準値#2を更新することができる。
【０１８４】
図２３は、実施形態２の電力管理装置が電力消費装置から電力利用終了通知を受信した時の処理の一例を示すフローチャートである。図２３に示す処理は、図１４に示す実施形態１の処理と比較すると、ステップＳ６１１の替わりにステップＳ６１１ａ〜Ｓ６１１ｄを行っている点で異なる。以下、図２３に示す処理において、実施形態１と異なる処理について説明する。
【０１８５】
制御部３１は、利用電力量積算バケットに余剰電力量内の蓄電池供給電力みなし量(Rwh)を加算する（ステップＳ６１１ａ）。制御部３１は、利用電力量積算バケット＞０であるか判定する（ステップＳ６１１ｂ）。利用電力量積算バケット＞０である場合（ステップＳ６１１ｂでＹＥＳ）、制御部３１は、予約電力量積算バケットから利用電力量積算バケットが示す量を減算し（ステップＳ６１１ｃ）、利用電力量積算バケットを０とする（ステップＳ６１１ｄ）。
【０１８６】
実施形態２の電力管理装置３は、電力利用終了通知を受信した時の処理において、余剰電力量内の蓄電池供給電力みなし量を用いて、予約電力量積算バケットを更新するので、適切に蓄電基準値#2を更新することができる。
【０１８７】
図２４、２５は、実施形態２の電力管理装置および電力制御装置が周期的に行う処理を示すフローチャートである。図２４、２５に示す処理は、図１５、１６に示す実施形態１の処理と比較すると、ステップＳ７１７の替わりにステップＳ７１７ａ〜Ｓ７１７ｄを行っている点で異なる。以下、図２４、２５に示す処理において、実施形態１と異なる処理について説明する。
【０１８８】
制御部３１は、利用電力量積算バケットに総消費電力量差分(ywh)内の蓄電池供給電力量みなし量Rwh2を加算する（ステップＳ７１７ａ）。制御部３１は、利用電力量積算バケット＞０であるかを判定する（ステップＳ７１７ｂ）。利用電力量積算バケット＞０である場合（ステップＳ７１７ｂでＹＥＳ）、制御部３１は、予約電力量積算バケットから利用電力量積算バケットを減算し（ステップＳ７１７ｃ）、利用電力量積算バケットを０とする（ステップＳ７１７ｄ）。
【０１８９】
実施形態２の電力管理装置３は、周期的に、総消費電力量差分(ywh)内の蓄電池供給電力量みなし量(Rwh2)を用いて、予約電力量積算バケットを更新するので、適切に蓄電基準値#2を更新することができる。
【０１９０】
次に、上記の処理で説明した各値を計算式で表した例を説明する。4Tは蓄電池電力量利用予約バケット、5Tは予約電力量積算バケット、2Tiは電力消費装置２iの利用残余電力量、Yiは、電力消費装置２iの許容電力量（予約値）、4tiは電力消費装置２iへの蓄電池予約電力量である。Ci(t)は、電力消費装置２iの制限電力値（予約値）、yi(t)は、電力消費装置２iの利用電力値（実績）、y(t)は、総消費電力量、x(t)は、蓄電池の充放電電力値（充電のときに正となる）、Xは、蓄電電力量（実績）、X0は、蓄電電力量（初期値）である。
【０１９１】
蓄電電力量Xは、以下の式(2-1)のように表される。
【０１９２】
【数８】
2018007466.tif 000010
【０１９３】
総消費電力量y(t)は、以下の式(2-2)のように表される。
【０１９４】
【数９】
2018007466.tif 000011
【０１９５】
利用残余電力量2Tiは、以下の式(2-3)のように表される。
【０１９６】
【数１０】
2018007466.tif 000012
【０１９７】
制限電力量（予約値）Ciは、以下の式(2-4)のように表される。
【０１９８】
【数１１】
2018007466.tif 000013
【０１９９】
電力消費装置２iの許容電力量（予約値）Yiは、以下の式(2-5)のように表される。
【０２００】
【数１２】
2018007466.tif 000014
【０２０１】
蓄電池電力量利用予約バケット4Tは、以下の式(2-6)のように表される。
【０２０２】
【数１３】
2018007466.tif 000015
【０２０３】
予約電力量積算バケット5Tは、以下の式(2-7)のように表される。
【０２０４】
【数１４】
2018007466.tif 000016
【０２０５】
4T+5Tは、以下の式(2-8)のように表される。
【０２０６】
【数１５】
2018007466.tif 000017
【０２０７】
＜電力制御装置および電力管理装置のハードウェア構成の一例＞
次に、図２６の例を参照して、実施形態１および２における電力制御装置１および電力管理装置３のハードウェア構成の一例を説明する。図２６の例に示すように、バス１００に対して、プロセッサ１１１とRandom Access Memory(RAM)１１２とRead Only Memory(ROM)１１３とが接続される。また、該バス１００に対して、補助記憶装置１１４と媒体接続部１１５と通信インタフェース１１６とが接続される。
【０２０８】
プロセッサ１１１はＲＡＭ１１２に展開されたプログラムを実行する。実行されるプログラムとしては、実施形態における処理を行う電力管理プログラムおよび電力制御プログラムが適用されてもよい。
【０２０９】
ＲＯＭ１１３はＲＡＭ１１２に展開されるプログラムを記憶する不揮発性の記憶装置である。補助記憶装置１１４は、種々の情報を記憶する記憶装置であり、例えばハードディスクドライブや半導体メモリ等を補助記憶装置１１４に適用してもよい。媒体接続部１１５は、可搬型記録媒体１１８と接続可能に設けられている。
【０２１０】
可搬型記録媒体１１８としては、可搬型のメモリや光学式ディスク（例えば、Compact Disc(CD)やDigital Versatile Disc(DVD)、半導体メモリ等）を適用してもよい。この可搬型記録媒体１１８に実施形態の処理を行う電力管理プログラムおよび電力制御プログラムが記録されていてもよい。
【０２１１】
記憶部１２および記憶部３２は、ＲＡＭ１１２や補助記憶装置１１４等により実現されてもよい。通信部１３は、通信インタフェース１１６により実現されてもよい。制御部１１、および制御部３１は、与えられた電力管理プログラムおよび電力制御プログラムをプロセッサ１１１が実行することにより実現されてもよい。
【０２１２】
ＲＡＭ１１２、ＲＯＭ１１３、補助記憶装置１１４および可搬型記録媒体１１８は、何れもコンピュータ読み取り可能な有形の記憶媒体の一例である。これらの有形な記憶媒体は、信号搬送波のような一時的な媒体ではない。
【０２１３】
＜その他＞
本実施形態は、以上に述べた実施の形態に限定されるものではなく、本実施形態の要旨を逸脱しない範囲内で種々の構成または実施形態を取ることができる。以上の実施形態に関し、更に以下の付記を開示する。
（付記１）
太陽光発電装置から受電し商用電源に対する売電および買電の制御と蓄電池に対する充電および放電の制御とを行う電力制御装置と、前記電力制御装置から受電した電力を消費する電力消費装置とに通信可能な電力管理装置であって、
前記電力消費装置から、要求電力量を含む利用予約情報を受信する通信部と、
前記利用予約情報に基づいて、前記商用電源および前記蓄電池のうちの少なくとも一方の利用予約を行い、前記利用予約の状況に基づいて、前記電力制御装置が前記蓄電池の充電および放電の何れを優先的に行うかを決定するための前記蓄電池の残量に対する基準値を決定する制御部と、
を備えることを特徴とする電力管理装置。
（付記２）
前記制御部は、前記電力消費装置が利用可能な許容電力量に基づいて、前記基準値を決定する
ことを特徴とする付記１記載の電力管理装置。
（付記３）
前記制御部は、前記蓄電池から利用予約した電力量に基づいて、前記基準値を決定する
ことを特徴とする付記１記載の電力管理装置。
（付記４）
前記通信部は、前記電力消費装置の消費電力量を示す情報を電力計から取得し、
前記制御部は、前記消費電力量に基づいて前記基準値を更新する
ことを特徴とする付記２に記載の電力管理装置。
（付記５）
前記通信部は、前記電力消費装置の消費電力量を示す情報を電力計から取得し、
前記制御部は、前記消費電力量から前記商用電源の利用予約電力量を減算した値に基づいて、前記基準値を更新する
ことを特徴とする付記３に記載の電力管理装置。
（付記６）
前記通信部は、前記電力消費装置の消費電力量と前記蓄電池の充放電電力量とを示す情報を電力計から取得し、
前記制御部は、前記消費電力量から前記商用電源の利用予約電力量を減算した値と前記蓄電池の充放電電力量とに基づいて、前記蓄電池から利用予約可能な電力量を示す値を更新する
ことを特徴とする付記１に記載の電力管理装置。
（付記７）
前記利用予約情報は、前記商用電源が停電となった場合の前記電力消費装置の動作を示す情報を含み、
前記制御部は、前記商用電源が停電となった場合に、前記情報に基づいて前記電力消費装置の動作を判定し、
前記通信部は、前記判定された動作が停止である場合、前記電力消費装置に停止指示を送信する
ことを特徴とする付記１に記載の電力管理装置。
（付記８） 
前記制御部は、前記商用電源が停電となった場合の動作が停止である前記電力消費装置を予めグループとして設定し、
前記通信部は、前記商用電源が停電となった場合に前記グループに属する前記電力消費装置に停止指示を一斉送信する
ことを特徴とする付記１に記載の電力管理装置。
（付記９）
前記通信部は、前記電力消費装置から、利用予約した電力量から消費電力量を減算した電力量である利用残余電力量を示す情報を受信し、
前記制御部は、前記利用残余電力量のうちの前記蓄電池の電力量相当分に基づいて、前記蓄電池から利用予約可能な電力量を示す値を更新する
ことを特徴とする付記１に記載の電力管理装置。
（付記１０）
前記通信部は、前記電力消費装置から、利用予約した電力量から消費電力量を減算した電力量である利用残余電力量を示す情報を受信し、
前記制御部は、前記利用残余電力量に基づいて、前記基準値を更新する
ことを特徴とする付記２に記載の電力管理装置。
（付記１１）
前記通信部は、前記電力消費装置から、利用予約した電力量から消費電力量を減算した電力量である利用残余電力量を示す情報を受信し、
前記制御部は、前記利用残余電力量のうちの蓄電池電力量相当分に基づいて、前記基準値を更新する
ことを特徴とする付記３に記載の電力管理装置。
（付記１２）
前記制御部は、前記電力消費装置から送信された利用予約情報が停電時の動作保証要求を含む場合、前記蓄電池から優先的に利用予約を行う
ことを特徴とする付記１に記載の電力管理装置。
（付記１３）
太陽光発電装置から受電し商用電源に対する売電および買電の制御と蓄電池に対する充電および放電の制御とを行う電力制御装置と、
前記電力制御装置と前記電力制御装置から受電した電力を消費する前記電力消費装置とに通信可能な電力管理装置とを備え、
前記電力管理装置は、
前記電力消費装置から、要求電力量を含む利用予約情報を受信する通信部と、
前記利用予約情報に基づいて、前記商用電源および前記蓄電池のうちの少なくとも一方の利用予約を行い、前記利用予約の状況に基づいて、前記電力制御装置が前記蓄電池の充電および放電の何れを優先的に行うかを決定するための前記蓄電池の残量に対する基準値を決定する制御部とを含む、
ことを特徴とする電力管理システム。
（付記１４）
前記電力制御装置は、
前記蓄電池の残量が第１閾値を下回ると、前記商用電源からの買電制御と、前記蓄電池の充電制御との少なくとも一方の制御を優先的に行い、
前記蓄電池の残量が前記第１閾値より大きい第２閾値を上回ると、前記商用電源の売電制御と、前記蓄電池の放電制御との少なくとも一方の制御を優先的に行い、
前記電力管理装置から取得した前記基準値に基づいて前記第２閾値を更新する制御部を含む、
ことを特徴とする付記１３記載の電力管理システム。
（付記１５）
太陽光発電装置から受電し商用電源に対する売電および買電の制御と蓄電池に対する充電および放電の制御とを行う電力制御装置と、前記電力制御装置から受電した電力を消費する電力消費装置とに通信可能な電力管理装置に用いられる電力管理方法であって、
前記電力消費装置から、要求電力量を含む利用予約情報を受信し、
前記利用予約情報に基づいて、前記商用電源および前記蓄電池のうちの少なくとも一方の利用予約を行い、前記利用予約の状況に基づいて、前記電力制御装置が前記蓄電池の充電および放電の何れを優先的に行うかを決定するための前記蓄電池の残量に対する基準値を決定する、
処理をコンピュータが実行することを特徴とする電力管理方法。
【符号の説明】
【０２１４】
１    電力制御装置
２    電力消費装置
３    電力管理装置
４    商用電源
５    太陽光発電装置
６    蓄電池
１１    制御部
１２    記憶部
１３    通信部
１６    電力計
１７    電力計
１８    電力計
３１    制御部
３２    記憶部
３３    通信部
１１１    プロセッサ
１１２    ＲＡＭ
１１３    ＲＯＭ
【図１】
2018007466.tif 000018
【図２】
2018007466.tif 000019
【図３】
2018007466.tif 000020
【図４】
2018007466.tif 000021
【図５】
2018007466.tif 000022
【図６】
2018007466.tif 000023
【図７】
2018007466.tif 000024
【図８】
2018007466.tif 000025
【図９】
2018007466.tif 000026
【図１０】
2018007466.tif 000027
【図１１】
2018007466.tif 000028
【図１２】
2018007466.tif 000029
【図１３】
2018007466.tif 000030
【図１４】
2018007466.tif 000031
【図１５】
2018007466.tif 000032
【図１６】
2018007466.tif 000033
【図１７】
2018007466.tif 000034
【図１８】
2018007466.tif 000035
【図１９】
2018007466.tif 000036
【図２０】
2018007466.tif 000037
【図２１】
2018007466.tif 000038
【図２２】
2018007466.tif 000039
【図２３】
2018007466.tif 000040
【図２４】
2018007466.tif 000041
【図２５】
2018007466.tif 000042
【図２６】
2018007466.tif 000043